(57)【要約】【課題】製造や組み立ての作業性を向上することができるとともに、組み付け工数および組み付け部品点数の削減と、製品コストの低減を実現可能にする。【解決手段】雄部材Ａと、この雄部材Ａに対し着脱可能に掛け止め可能な雌部Ｂとからなる装身具用掛止具であり、雄部材Ａに、絞り加工によって金属板１に半球部４ａおよび頚部４ｂが連設された嵌合突子４を設け、雌部材Ｂに、嵌合突子４が有する半球部４ａの強制的挿通を可能にし、かつその挿通後に頚部４ｂに係止する欠円状スプリング１４を有する。【選択図】図４
0003128830.tif 000002
【実用新案登録請求の範囲】
【請求項１】
雄部材およびこの雄部材に対し着脱可能に掛け止め可能な雌部とからなる装身具用掛止具であって、
前記雄部材は、絞り加工によって金属板に半球部および頚部が連設された嵌合突子を有し、
前記雌部材は、前記嵌合突子が有する前記半球部の強制的挿通を可能にし、かつその挿通後に前記頚部を係止する欠円状スプリングを有することを特徴とする装身具用掛止具。
【請求項２】
前記雄部材を構成する金属板が、真ちゅうを材料とすることを特徴とする請求項１に記載の装身具用掛止具。
【請求項３】
前記嵌合突子の頂部にメッキ液排出用の小孔が設けられていることを特徴とする請求項１に記載の装身具用掛止具。
【考案の詳細な説明】
【技術分野】
【０００１】
本考案は、ネックレス、ブレスレット、その他ベルト類に取り付ける装身具用掛止具に関する。
【背景技術】
【０００２】
ネックレス、ブレスレットの両端には、互いに係止してネックレス、ブレスレットを無端帯状に保持するための装身具用掛止具が取り付けられている。この装身具用掛止具は、体裁上、大型のものは使用することができず、長さが例えば６ｍｍ〜８ｍｍ、幅が例えば３ｍｍ〜５ｍｍといった微細な形態をなす。
【０００３】
従って、これを指先で把持して首の後方において、両端のフック型の各掛止具を互いに掛け止めるにしても、または一方の金具の雄ねじ部を他の金具の雌ねじ孔に螺合する型の掛止具にしても、その掛け止めの手勝手が悪く、この掛け止め操作に手間が掛かり過ぎるという不都合があった。
【０００４】
これに対して、装身具用掛止具を、嵌合突子を形成した雄部材と、その嵌合突子が嵌合するに足る径の透孔を形成した比較的厚みがあるリング状雌部材とから構成したものが提案されている（特許文献１参照）。この装身具用掛止具では、リング状雌部材の透孔の内壁に凹溝を設け、この凹溝に欠円状スプリングを嵌挿し、雄部の嵌合突子を雌部の透孔に挿入し、嵌合突子の頚部を前記スプリング反発力により保持することができる。従って、微細な形態の装身具用掛止具における掛止操作の手勝手が良くなり、かつ迅速に行える。
【特許文献１】実公昭５５‐４２７３１号公報
【考案の開示】
【考案が解決しようとする課題】
【０００５】
しかしながら、従来の装身具用掛止具は、前述のように微細な掛止具におけるリング状雌部の透孔内壁に凹溝を設けること自体が困難を極め、さらにこの凹溝内に欠円状スプリングを嵌挿する作業もまた困難を極めるものであった。この結果、装身具用掛止具の製造効率が悪く、コスト高が避けられないという問題があった。
【０００６】
本考案は、前記のような従来の問題点に着目してなされたものであり、製造や組み立ての作業性を向上することができるとともに、組み付け工数および組み付け部品点数の削減と、製品コストの低減を実現できる装身具用掛止具を提供することを目的とする。
【課題を解決するための手段】
【０００７】
前記目的達成のために、本考案にかかる装身具用掛止具は、雄部材およびこの雄部材に対し着脱可能に掛け止め可能な雌部とからなる装身具用掛止具であって、前記雄部材は、絞り加工によって金属板に半球部および頚部が連設された嵌合突子を有し、前記雌部材は、前記嵌合突子が有する前記半球部の強制的挿通を可能にし、かつその挿通後に前記頚部を係止する欠円状スプリングを有することを特徴とする。
【０００８】
この構成により、前記欠円状スプリングは、自身が持つ内径の弾性的な収縮作用によって、前記嵌合突子が有する半球部の強制的な挿通時には、前記収縮作用に抗して内径が拡張されるため、その挿通を許容し、挿通後はその収縮作用によって前記頚部が抜けないように頚部を保持する。また、前記嵌合突子は絞り加工によって金属板に一体形成されるため、前記半球部および頚部が一工程で簡単、迅速かつローコストに形成できる。
【０００９】
また、本考案にかかる装身具用掛止具において、前記雄部材を構成する金属板が、真ちゅうを材料とすることを特徴とする。
この構成により、鉛が雄部材の金属材料に含まれないため、人体の健康や環境への影響を効果的に回避することができる。
【００１０】
また、本考案にかかる装身具用掛止具は、前記嵌合突子の頂部にメッキ液排出用の小孔が設けられていることを特徴とする。
この構成により、メッキ処理後の前記嵌合突子内へのメッキ液の残留を回避でき、メッキによる表面仕上げ状態の劣化を未然に回避することができる。
【考案の効果】
【００１１】
本考案の装身具用掛止具によれば、組み付け工数および組み付け部品点数の削減と、製品コストの低減を実現できるとともに、欠円状スプリングが持つ内径の弾性的な収縮作用によって、嵌合突子が有する半球部の挿通とその半球部に連続する頚部の保持を共に確実にすることができる。
【考案を実施するための最良の形態】
【００１２】
以下、本考案の実施形態を、図面を参照しながら説明する。
図１は本考案の実施形態による装身具用掛止具を構成する雄部材Ａの平面図、図２は同じく装身具用掛止具を構成する雌部材Ｂの平面図、図３は、雄部材を拡大して示した正面断面図、図４は雄部材と雌部材との掛止構造を示す断面図、図５は雌部材を構成ずるケース体の平面図、図６は同じくケース体の断面図、図７は雌部材を構成するリング板の平面図である。
【００１３】
本考案に実施形態による装身具用掛止具は、雄部材およびこの雄部材に対し着脱可能に掛け止め可能な雌部とからなる装身具用掛止具であって、前記雄部材は、絞り加工によって金属板に半球部および頚部が連設された嵌合突子を有し、前記雌部材は、前記嵌合突子が有する前記半球部の強制的挿通を可能にし、かつその挿通後に前記頚部を係止する欠円状スプリングを有する構成である。
【００１４】
図１において、雄部Ａは、一端部が径小の円弧状に、他端が径大の円弧状に形成された長目の金属板１からなり、径小の円弧状部側にはネックレスやブレスレットを構成するチェーン２または紐を取り付けるための取付孔３が設けられている。
径大の円弧状部側には、この部位に絞り加工を施すことによって突出させた嵌合突子４が設けられている。また、この金属板１は健康に害となる鉛を含まない材料、ここでは真ちゅうが用いられる。この真ちゅうは、材料の性質上柔らかく、加工が容易であるが、特に絞り加工に適する。
【００１５】
前記嵌合突子４は、図３に拡大して示すように、先端側に膨出した半球部４ａと、それより径小の頚部４ｂとが連続した形態で形成されている。半球部４ａの頂部には、この半球部４ａの内外を貫通する小孔５が穿設されている。この小孔５は、この雄部Ａ全体に金メッキなどのメッキを施す際に、嵌合突子４内に入り込んだメッキ液が、メッキ処理の終了後もそのまま残留するのを防止するためのメッキ液排出機能を有する。
【００１６】
一方、雌部Ｂは、図５および図６に示すようなケース体８を有する。このケース体８は、底板６と、この底板６の周縁に上方に立ち上がるように連接された立上片７とからなる。この立上片７の一部には、後述のリング板の装身具取付柄をケース体８の内側から外側へ突出させるための開口部７ａが形成されている。
【００１７】
前記底板６の中央部には円形の透孔９が設けられ、この透孔９は前記半球部４ａが自由に挿通可能な形状、サイズに開口されている。この雌部材Ｂを構成するケース体８も、雄部材Ａと同様に金属板からなり、表面には前記と同様にメッキ処理が施されている。
【００１８】
前記ケース体８内には、図７に示すようなリング板１０が、図４に示すように装着されている。このリング板１０は中央部に前記透孔９より径の大きい透孔１１が設けられており、外周の一部には装身具取付柄１２が一体に突設されている。さらに、この装身具取付柄１２の先端部には、ネックレスやブレスレットを構成するチェーンや紐を取り付けるための取付孔１３が設けられている。
【００１９】
また、前記ケース体８の底部６上であって、リング板１０の透孔１１の内側には、透孔９と透孔１１が連通する軸と同心となる欠円状スプリング１４が収納されている。この欠円状スプリング１４は、一箇所で切断された弾性金属線のリング体であり、常態では、その欠円状スプリング１４の内径部に前記嵌合突子４の半球部４ａを強制的に挿し通すことによって、拡張可能になる。
【００２０】
一方、前記欠円状スプリング１４の内径部は、半球部４ａが挿し通された後は収縮して、嵌合突子４の頚部４ｂに係止または保持される。このため、前記嵌合突子４の半球部４ａは前記内径部から自由に脱抜しない。また、この欠円状スプリング１４の外径は、前記透孔９から自由に脱抜することがない適当な寸法とされている。
【００２１】
前記リング板１０の上には、リング状（ワッシャー状）のカバー板１５が載置されている。このカバー板１５には、中心部に前記透孔９と同心で-*略同一径の透孔１６が形成されている。このカバー板１５の表面にも前記同様のメッキ処理が施されている。
【００２２】
従って、このカバー板１５と、ケース体８の底部６と、リング板１０における透孔１１内周面とで囲まれた間隙内で、前記欠円状スプリング１４が拡張、収縮可能に収納されている。さらに、このカバー板１５は、ケース体８の立上片７の上端縁７ｂを内径側へ屈曲することにより、ケース体８に固定される。
【００２３】
このように構成された装身具用掛止具では、雄部材Ａと雌部財Ｂとを連結（接続）する場合に、雄部材Ａの嵌合突子４を、雌部材Ｂを構成するケース体８の前記透孔９側から欠円状スプリング１４の内周へ（リング孔）へ挿し込む。この挿し込み操作力を受けて、嵌合突子４の球状体４ａが欠円状スプリング１４の内周を強制的に拡開するように進入する。球状体４ａは、さらにこの内周を貫通して、カバー板１５の透孔１６を経てケース体８の外へ突出する。
【００２４】
このため、欠円状スプリング１４は、図４に示すように、嵌合突子４の頚部４ｂ付近に臨んで、収縮した形態となり、このため半球部４ａは、その欠円状スプリング１４の内周からは、外力を加えない限り自由に脱抜することはない。従って、この雄部材Ａおよび雌部剤Ｂに前記のように接続されたチェーン等の両端が簡単に連結可能となる。
【００２５】
そして、本実施形態では、前記嵌合突子４は、金属板１に対する絞り加工によって、半球部４ａおよび頚部４ｂが一度にかつ一体に形成されている。このため、従来のような、金属板に対しこれとは別に用意された球状部材をカシメ止めする工程を省くことができるとともに、使用部品点数の増加によるコストアップを避けることができる。
【００２６】
なお、前記雄部材Ａと雌部財Ｂとの分離は、これらを両手の指で摘みながら嵌合突子４の半球部４ａを欠円状スプリング１４の内周部から強制的に引き抜くように操作すればよい。これにより、欠円状スプリング１４の内周は一時的に強制的に拡張され、半球部４ａは、その内周部を潜り抜けて、分離が簡単かつ軽快に行われることとなる。
【００２７】
このように、本実施形態では、雄部材Ａおよびこの雄部材Ａに対し着脱可能に掛け止め可能な雌部材Ｂとからなる装身具用掛止具であって、前記雄部材Ａは、絞り加工によって金属板１に半球部４ａおよび頚部４ｂが連設された嵌合突子４を有し、前記雌部材Ｂは、嵌合突子４が有する半球部４ａの強制的挿通を可能にし、かつその挿通後に前記頚部４ｂを係止する欠円状スプリング１４を有する構成としたことにより、製造や組み立ての作業性を向上することができるとともに、組み付け工数および組み付け部品点数の削減と、製品コストの低減を実現できる。
【産業上の利用可能性】
【００２８】
本考案の装身具用掛止具は、雄部材を単一の板材を用いて絞り成形により一体形成できるため、製造や組み立ての作業性を向上することができるとともに、組み付け工数および組み付け部品点数の削減と、製品コストの低減を共に実現できるという効果を有し、ネックレス、ブレスレット、その他ベルト類に取り付ける装身具用掛止具等に有用である。
【図面の簡単な説明】
【００２９】
【図１】本考案の実施形態による装身具用掛止具の雄部材を示す平面図である。
【図２】本考案の実施形態による装身具用掛止具の雌部材を示す平面図である。
【図３】図１に示す雄部材の縦断面図である。
【図４】本考案の実施形態による装身具用掛止具を示す縦断面図である。
【図５】図１に示すケース体の平面図である。
【図６】図５に示すケース体の縦断面図である。
【図７】図４に示すリング板の平面図である。
【符号の説明】
【００３０】
１…金属板、４…嵌合突子、４ａ…半球部、４ｂ…頚部、５…小孔、６…底板、  ７…立上片、８…ケース体、９，１１，１６…透孔、１０…リング板、１２…装身具取付柄、１４…欠円形スプリング、１５…カバー板
【図１】
0003128830.tif 000003
【図２】
0003128830.tif 000004
【図３】
0003128830.tif 000005
【図４】
0003128830.tif 000006
【図５】
0003128830.tif 000007
【図６】
0003128830.tif 000008
【図７】
0003128830.tif 000009